(57)【要約】【課題】ピン頭部と側板に溶接を施す転動体保持器の組立工数を減少させることができる転がり軸受用保持器及び転がり軸受を提供することを目的とする。【解決手段】互いに平行で同心に離隔配置される一対の環状の側板と、前記一対の側板の間に架設される棒状のピンと、を備える転がり軸受用保持器であって、前記ピンの先端部には雄ねじ部が形成され、前記雄ねじ部が前記一対の側板の一方に形成された孔内の雌ねじ部に螺合され、かつ、前記ピンの先端部の反対側の頭部に薄肉円筒を形成し、前記薄肉円筒を外径方向に拡径せしめて前記側板の孔に密着させ、前記ピンを前記側板に固定する。【選択図】図１
2011112200.tif 000002
【特許請求の範囲】
【請求項１】
互いに平行で同心に離隔配置される一対の環状の側板と、前記一対の側板の間に架設される棒状のピンと、を備える転がり軸受用保持器であって、
前記ピンの先端部には雄ねじ部が形成され、前記雄ねじ部が前記一対の側板の一方に形成された孔内の雌ねじ部に螺合され、かつ、前記ピンの先端部の反対側の頭部に薄肉円筒を形成し、前記薄肉円筒を外径方向に拡径せしめて前記側板の孔に密着させ、前記ピンを前記側板に固定するようにしたことを特徴とする転がり軸受用保持器。
【請求項２】
前記ピンの先端部にはテーパ形状の雄ねじ部が形成され、前記一対の側板の一方の孔内にテーパ形状の雌ねじ部が形成され、螺合されることを特徴とする請求項１に記載の転がり軸受用保持器。
【請求項３】
前記ピン頭部に形成された薄肉円筒を円周方向に分割する複数の割りを前記ピンに設けて、割りと割りの間に、ドライバーなど工具先端をあて、工具を回転させることによって前記ピンと側板を螺合させるたことができることを特徴とする請求項１若しくは２に記載の転がり軸受用保持器。
【請求項４】
前記ピンが、前記先端部に隣接してテーパ形状の当接部を有し、前記一対の側板の一方の孔内に雌ねじ部に隣接してテーパ部を有し、前記雄ねじ部が前記一方の側板に形成された孔内の雌ねじ部に螺合し、前記ピンを前記側板に固定するようにした前記当接部が前記側板に当接することを特徴とする請求項１乃至３に記載の転がり軸受用保持器。
【請求項５】
請求項１乃至４のいずれか一項に記載の転がり軸受用保持器を備える転がり軸受。
【発明の詳細な説明】
【技術分野】
【０００１】
本発明は、転がり軸受用保持器及び転がり軸受に関し、特にピンで転動体を回転可能に支持するタイプの保持器及び転がり軸受に関する。
【背景技術】
【０００２】
従来より、特に振動や衝撃による負荷が大きい場合などには、転がり軸受の一つであるころ軸受が使用されている。以下に、従来のころ軸受について図面を参照しつつ説明する。
【０００３】
図４は、従来のころ軸受の一部の直径方向の断面を示す断面図である。転がり軸受の一タイプであるころ軸受４０１は、環状の外輪４０３と、外輪４０３と同心に配置され、外輪４０３の径方向内側に配置される環状の内輪４０５と、外輪４０３及び内輪４０５により画成される環状空間内に配置され、外輪４０３及び内輪４０５を互いに相対回転可能とする転動体、すなわち複数のころ４１７と、複数のころ４１７を環状空間内で回転可能に周方向に等間隔に保持する保持器４０９とを備える。さらに、保持器４０９は、環状の第１側板４１３と、第１側板４１３と同心に配置される環状の第２側板４１５と、第１側板４１３及び第２側板４１５に両端が固定され、ころ４１７を貫通するピン穴４１７ａを介してころ４１７を回転可能に支持する棒状のピン４１１と、を有する。
【０００４】
ピン４１１は、雄ねじ部が螺刻されている先端部４１１ａと、ころ４１７のピン穴４１７ａ内に延在する胴部４１１ｂと、軸方向で先端部４１１ａに対向するピン頭部４１１ｃと、を有する。先端部４１１ａの外径は、胴部４１１ｂの外径と同寸法であり、ピン頭部４１１ｃは、胴部４１１ｂに対して外径が大きく形成されている。ピンの頭部４１１ｃは、第１側板４１３を貫通する嵌合孔４１３ａ内に嵌合し溶接で固定される。先端部４１１ａは、第２側板４１５の嵌合孔４１５ａに螺刻された雌ねじ部と螺合する（例えば、特許文献１参照）。
【先行技術文献】
【特許文献】
【０００５】
【特許文献１】特開２００４−７６８０２号公報
【発明の概要】
【発明が解決しようとする課題】
【０００６】
一般に、ピン頭部と側板に溶接を施す転動体保持器は、従来、ピン頭部や側板に脱脂洗浄を溶接前に施す必要があり、組立工数の増加を招き、製造にコストと労力がかかる。
【０００７】
本発明の目的は、ピン頭部と側板に溶接を施す転動体保持器の組立工数を減少させることができる転がり軸受用保持器及び転がり軸受を提供することを目的とする。
【課題を解決するための手段】
【０００８】
上記課題を解決するための本発明の転がり軸受用保持器の第１の態様は、互いに平行で同心に離隔配置される一対の環状の側板と、前記一対の側板の間に架設される棒状のピンと、を備える転がり軸受用保持器であって、前記ピンの先端部には雄ねじ部が形成され、前記雄ねじ部が前記一対の側板の一方に形成された孔内の雌ねじ部に螺合され、かつ、前記ピンの先端部の反対側の頭部に薄肉円筒を形成し、前記薄肉円筒を外径方向に拡径せしめて前記側板の孔に密着させ、前記ピンを前記側板に固定するようにしたことを特徴とする転がり軸受用保持器である。
【０００９】
前記側板に螺合するピンの先端部を雄ねじ部を形成することによって締め付け力が小さくなるため労力がかからない。さらに、前記ピンの頭部に薄肉円筒を形成することで、前記薄肉円筒を外径方向に拡径させることにより、前記薄肉円筒が側板の孔に密着するため、ピンは側板に固定することができる。
さらに、本発明の転がり軸受用保持器の第２の態様によれば、前記ピンの先端部にはテーパ形状の雄ねじ部が形成され、前記一対の側板の一方の孔内にテーパ形状の雌ねじ部が形成され、螺合されることを特徴とする。
【００１０】
また、本発明の転がり軸受用保持器の第３の態様によれば、前記ピン頭部に形成された薄肉円筒を円周方向に分割する複数の割りを前記ピンに設けて、割りと割りの間に、ドライバーなど工具先端をあて、工具を回転させることによって前記ピンと側板を螺合させるたことができることを特徴とする。
【００１１】
さらに、本発明の転がり軸受用保持器の第４の態様は、前記ピンが、前記先端部に隣接してテーパ形状の当接部を有し、前記一対の側板の一方の孔内に雌ねじ部に隣接してテーパ部を有し、前記雄ねじ部が前記一方の側板に形成された孔内の雌ねじ部に螺合し、前記ピンを前記側板に固定するようにした前記当接部が前記側板に当接することを特徴とする。
【００１２】
本発明の転がり軸受の態様は、第１〜第４の態様のいずれかを備える。
【発明の効果】
【００１３】
本発明によれば、ピンの先端部に形成される雄ねじ部をテーパ形状とし、ピンの頭部に薄肉円筒を有し、ピンと側板を確実に結合でき、組立工数を減少させることができる転がり軸受用保持器及び転がり軸受を提供することがえきる。
【図面の簡単な説明】
【００１４】
【図１】本発明の実施形態１の転がり軸受の直径方向に沿った断面図である。
【図２】実施形態２による割りを入れた薄肉円筒部を説明するための図ある。
【図３】実施形態３による保持器の一部を示す部分断面図である。
【図４】従来のころ軸受の一部の直径方向の断面を示す断面図である。
【発明を実施するための形態】
【００１５】
以下、本発明の転がり軸受用保持器及び転がり軸受の実施形態について図面を参照しつつ説明する。各図面中、同一要素は同一符号で示してある。
【００１６】
（実施形態１）
実施形態１は、本発明の転がり軸受用保持器及び転がり軸受を、ころ軸受用保持器及びころ軸受に適用した例である。具体的には、テーパ形状のねじにより螺合と薄肉円筒部を径方向に拡径させる構成である。図１は、本発明の転がり軸受の実施形態１の直径方向の断面の一部を示す断面図である。ころ軸受１は、環状の外輪３と、外輪３と同心に配置され、外輪３の径方向内方に配置される環状の内輪５と、外輪３及び内輪５により画成される環状空間内に配置され、外輪３及び内輪５を互いに相対回転可能にする転動体である複数のころ１７と、複数のころ１７を環状空間内で回転可能に周方向に等間隔に保持する保持器９とを備える。
【００１７】
保持器９は、環状の第１側板１３と、第１側板１３と同心で、軸方向に離間して配置される環状の第２側板１５と、第１側板１３及び第２側板１５に各端部が固定され、ころ１７を貫通するピン穴１７ａを挿通しころ１７を回転可能に支持する棒状で径方向断面が環状のピン１１と、を有する。
【００１８】
周方向で等間隔に配置される複数のピン１１は、雄ねじ部が螺刻されている先端部１１ａと、ころ１７のピン孔１７ａ内に配置され、ピンを支持する円柱状胴部１１ｂと、軸方向において先端部１１ａに対向するピン頭部１１ｃと、を備える。先端部１１ａは、先端に向かい（胴部１１ｂから離れるに従って）外径が漸減するテーパ形状の円錐形状である。先端部１１ａの最大径（胴部１１ｂとの連結部分）は、胴部１１ｂの外径より大きく、先端部１１ａの先端縁部（胴部１１ｂから最も離れた部分）は、胴部１１ｂの外径より小さい先細り形状である。
【００１９】
胴部１１ｂの外径は、ころ１７のピン孔１７ａの内径より若干小さく寸法付けされている。さらに、先端部１１ａと胴部１１ｂとは、Ｒ加工がなされた連結部１１ｄで連結され、連結部の外径は胴部１１ｂから先端部１１ａへの方向へ滑らかに漸増している。
【００２０】
ピンの頭部１１ｃの先端に形成された薄肉円筒１１eが第１側板１３を貫通する嵌合孔１３ａの外側に形成されたテーパ形状の孔１３ｂに拡径され密着するので、ピンの頭部１１ｃは、嵌合孔１３ａに結合する。先端部１１ａは、第２側板１５を貫通し、先端部１１ａの形状に相補的なテーパ形状の嵌合孔１５ａに螺刻された雌ねじ部と螺合する。
【００２１】
（実施形態２） 
実施形態２は、図２に示すとおり、実施形態１におけるピンの頭部１１ｃの先端に形成された薄肉円筒１１eに円周方向に分割する複数の割り２０を設ける。割りと割りの間にドライバーの先端（図示せず）を当てドライバー（図示せず）を回転させると、先端部１１ａは、第２側板１５を貫通し、先端部１１ａの形状に相補的なテーパ形状の嵌合孔１５ａに螺刻された雌ねじ部と螺合する。前記薄肉円筒部１１eに円周方向に分割する割り２０は、先端がマイナスのドライバーであれば２分割であり、先端がプラスドライバーであれば４分割である。
【００２２】
（実施形態３）
実施形態３は、実施形態１と同様にピンは、円錐台状部分であるテーパ部を備えるが、テーパ部にはねじ部を螺刻せず、円柱状部に平行ねじ部を設けた例である。以下詳細に説明する。図３は、実施形態３による保持器の一部の部分断面図である。図中においてピン１１１と第２側板１１５のみが示されている。なお、図示しない他の部分及び他の構成要素については、図１の第１実施形態と同様であるので割愛した。
【００２３】
ピン１１１の先端部１１１ａと胴部１１１ｂとは、先端部１１１aに隣接して設けられたテーパ形状の当接部１１１ｄにより連結されている。先端部１１１ｂの外径は、先端部１１１ａの外径より大きく寸法付けされ、当接部１１１ｄは、胴部１１１ｂ側から先端部１１１ａ側へ漸減する。さらに、当接部１１１ｄと先端部１１１ａとは、丸溝加工がされた凹状の溝部１１１ｅにより接続されている。
【００２４】
第２側板１１５のピン孔は、平行ねじを構成する雌ねじ部１１５ａと、ピンの当接部１１１ｄと相補的な形状で、ピン１１１の挿入方向に沿って漸減し雌ねじ部に隣接するテーパ部１１５ｂと、から構成される。ピン１１１が雌ねじ部１１５ａに嵌合した状態では、当接部１１１ｄがピン孔のテーパ部１１５ｂに当接する。
【００２５】
上記のように構成されたピン１１１が第２側板１１５のピン孔内に嵌合した場合には、雄ねじ部１１１ａと雌ねじ部１１５ａが当接するのみならず、当接部１１１ｄとテーパ部１１５ｂが当接する。
【００２６】
さらに、ピン１１１の先端部１１１ａと当接部１１１ｄとの間に溝部１１１ｅを介在させることで、部１１１ｂが雌ねじ部１１５ａと螺合し当接部１１１ｄがテーパ部１１５ｂに押圧されると、溝部１１１ｅでピンが若干屈曲し当接部１１１ｄがテーパ部１１５ｂに密着する。よって、ピン１１１の当接部１１１ｄが第２側板のテーパ部１１５ｂに確実に当接する。
【００２７】
上記実施形態では、ピンタイプ保持器が円筒状の中空ころを支持する円筒ころ軸受を例示したが、ピンタイプ保持器が円錐状の中空ころや、樽状の中空ころを支持する自動調心ころ軸受、複列や多列のころ軸受等の他の構成のころ軸受にも本発明を適用できることは言うまでもない。
【００２８】
この発明は、その本質的特性から逸脱することなく数多くの形式のものとして具体化することができる。よって、上述した実施形態は専ら説明上のものであり、本発明を制限するものではないことは言うまでもない。
【産業上の利用可能性】
【００２９】
本発明の転がり軸受の保持器は、各種転がり軸受において好適に使用できる。
【符号の説明】
【００３０】
１    ころ軸受
３    外輪
５    保持器
１１  ピン
１３  第１側板
１５  第２側板
１７  ころ
２０  割り
【図１】
2011112200.tif 000003
【図２】
2011112200.tif 000004
【図３】
2011112200.tif 000005
【図４】
2011112200.tif 000006